(57)【要約】【課題】リム上面部の幅寸法を十分に確保しつつ、リム上面部の便鉢部の上端縁部からの張り出し寸法を従来に比して小さくすることが可能な便器本体を提供する。【解決手段】便器本体１０は、便座３２が載置されるリム上面部１３の幅方向における中間部に、便鉢部１１の上端縁部１２が連結されたものである。このような構成によれば、リム上面部１３の幅寸法を十分に確保しつつ、リム上面部１３の便鉢部１１の上端縁部１２からの張り出し寸法を従来に比して小さくすることができる。【選択図】図４
2015190223.tif 000002
【特許請求の範囲】
【請求項１】
便座が載置されるリム上面部の幅方向における中間部に、便鉢部の上端縁部が連結されている便器本体。
【請求項２】
前記便鉢部の上端縁部が、前記リム上面部の幅方向における中間部のうち内周縁寄りの位置に連結されている請求項１に記載の便器本体。
【請求項３】
前記便鉢部の前端部においては、前記便鉢部の上端縁部が、前記リム上面部の外周縁部に連結されている請求項１または請求項２に記載の便器本体。
【請求項４】
前記リム上面部のうち前記便座の支持足が載置される部分においては、前記便鉢部の上端縁部が前記リム上面部の幅方向の中間部に連結され、前記リム上面部のうち前記支持足が載置される部分よりも前方の部分においては、前記リム上面部と前記便鉢部の上端縁部との連結位置が、前方に向かって外周縁側に変化している請求項１ないし請求項３のいずれか一項に記載の便器本体。
【請求項５】
前記リム上面部の外周縁部から前記便鉢部の外周面にわたり前記リム上面部の外側の張り出し部分の下側の窪みを覆うようにカバーが装着されている請求項１ないし請求項４のいずれか一項に記載の便器本体。
【発明の詳細な説明】
【技術分野】
【０００１】
本発明は、便器本体に関する。
【背景技術】
【０００２】
従来、便座が載置されるリム上面部の外周縁に、便鉢部の上端縁部が連結された便器本体が知られている（例えば下記特許文献１に記載）。
【先行技術文献】
【特許文献】
【０００３】
【特許文献１】特開２００１−３２３５４１号公報
【発明の概要】
【発明が解決しようとする課題】
【０００４】
ところで、リム上面部の幅寸法は、少なくともその上側に載置される便座の支持足を十分に支持することが可能な寸法を確保する必要がある。このため、上記のような構成では、リム上面部が便鉢部の上端縁部から内側に張り出す寸法は大きくなりがちである。リム上面部の内側の張り出し寸法が大きいと、清掃作業が困難であったり、製造時に垂れやすいという問題がある。
【０００５】
本発明は上記のような事情に基づいて完成されたものであって、リム上面部の幅寸法を十分に確保しつつ、リム上面部の便鉢部の上端縁部から内側への張り出し寸法を従来に比して小さくすることが可能な便器本体を提供することを目的とする。
【課題を解決するための手段】
【０００６】
本発明の便器本体は、便座が載置されるリム上面部の幅方向における中間部に、便鉢部の上端縁部が連結されている。
【発明の効果】
【０００７】
本発明によれば、リム上面部の幅寸法を十分に確保しつつ、リム上面部の便鉢部の上端縁部から内側への張り出し寸法を従来に比して小さくすることができる。
【図面の簡単な説明】
【０００８】
【図１】実施例１における便器本体に、便座装置が取り付けられた状態を示す平面図
【図２】便器本体を示す平面図
【図３】便器本体を示す断面図であって、図２のＡ−Ａ位置における断面に相当する断面図
【図４】便鉢部とリム上面部との連結部分を示す一部拡大断面図であって、図２のＢ−Ｂ位置における断面に相当する一部拡大断面図
【図５】カバーを装着した状態を示す一部拡大断面図
【図６】実施例２に係る便器本体における便鉢部とリム上面部との連結部分を示す一部拡大断面図
【図７】実施例３に係る便器本体における便鉢部とリム上面部との連結部分を示す一部拡大断面図
【発明を実施するための形態】
【０００９】
本発明の便器本体は、前記便鉢部の上端縁部が、前記リム上面部の幅方向における中間部のうち内周縁寄りの位置に連結されているものとしてもよい。このような構成によれば、リム上面部の内側の張り出し寸法をより小さくすることができるから、清掃作業を行いやすくすることができる。
【００１０】
また、本発明の便器本体は、前記便鉢部の前端部においては、前記便鉢部の上端縁部が、前記リム上面部の外周縁部に連結されているものとしてもよい。ここで、便鉢部の上端縁部のうち前端に位置する部分は、他の部分より曲り形状が急であるため洗浄水が上側に膨れ上がりやすい部分であるとともに、人が座った際の荷重が直接的に作用しない部分である。このような部分においては、便鉢部の上端縁部をリム上面部の外周縁部に連結することで、効果的に洗浄水の飛散を防止することができる。
【００１１】
また、本発明の便器本体は、前記リム上面部のうち前記便座の支持足が載置される部分においては、前記便鉢部の上端縁部が前記リム上面部の幅方向の中間部に連結され、前記リム上面部のうち前記支持足が載置される部分よりも前方の部分においては、前記リム上面部と前記便鉢部の上端縁部との連結位置が、前方に向かって外周縁側に変化しているものとしてもよい。
【００１２】
このような構成によれば、リム上面部のうち便座の支持足が載置される部分（直接的に荷重が作用する部分）においては、リム上面部の中間部に便鉢部の上端縁部が連結されることでリム上面部の強度が確保され、それよりも前方の部分においては、前方に向かってリム上面部の内側への張り出し寸法が増すことで、洗浄水の飛散防止機能が向上するものとされている。これにより、洗浄水の飛散防止と、便座からの荷重に対する補強とを両立することができる。
【００１３】
また、前記リム上面部の外周縁部から前記便鉢部の外周面にわたり前記リム上面部の外側の張り出し部分の下側の窪みを覆うようにカバーが装着されているものとしてもよい。このような構成によれば、リム上面部の外側の張り出し部分の下側の窪みがカバーにより隠蔽されるから、清掃作業を行いやすくなり、また見た目もよくすることができる。
【００１４】
＜実施例１＞
以下、本発明を具体化した一実施例について、図１〜図５を参照しつつ詳細に説明する。
本実施例における便器本体１０は、便鉢部１１と、便座３２が載置されるリム上面部１３とが一体的に成形されたものである。
便鉢部１１は、上方に開口するとともに、その上端周縁部に、リム通水路１４が設けられている。
【００１５】
便鉢部１１の上端周縁部のうち右側（便器本体１０に座る人から見て右側であって、図１における下側）の後端部には、前方に開口した第１吐水口１５が設けられている。また、便鉢部１１の上端周縁部のうち左側（便器本体１０に座る人から見て左側であって、図１における上側）の後端部には、右方に開口した第２吐水口１６が設けられている。
【００１６】
第１吐水口１５から吐水された洗浄水は、リム通水路１４に沿って流れ、平面視において便鉢部１１内を反時計方向に旋回する旋回流を形成する。第２吐水口１６から吐水された洗浄水は、第１吐水口１５から吐水した洗浄水と合流し、便器排水路１７に向けた下方向の流れを形成する。
【００１７】
便器本体１０は、便鉢部１１の下流側に連通した便器排水路１７を有している。便器排水路１７は、図３に示すように、便鉢部１１の封水面Ｌよりも下方に設けられた流出口１８の下流側に連続して形成されている。流出口１８は、略垂直方向下向きに開口している。
【００１８】
便器排水路１７は、流出口１８から斜め後方に下降する第１下降流路１７Ｆと、この第１下降流路１７Ｆの下流側に連続して形成され、斜め後方に上昇する上昇流路１７Ｕと、この上昇流路１７Ｕの下流側に連続して形成され、略垂直方向に下降する第２下降流路１７Ｓとを有している。第２下降流路１７Ｓの下端部は、下方に突出した形状とされ、図示しない排水接続管が接続可能とされている。なお、便器本体１０の下部には、排水接続管等を内部に収容可能な周壁部１９が設けられている。
【００１９】
便器本体１０の上側には便座装置３０が載置される（図１参照）。便座装置３０は、便器本体１０に固定される便座ボックス３１と、便座ボックス３１に回動自在に支持された便座３２および便蓋３３とを有している。
【００２０】
便座３２は、全体としてリム上面部１３の形状に沿う環状をなし、その下面には、リム上面部１３に当接して便座３２を支持する支持足３４が複数設けられている。支持足３４は、平面視、左右方向に長い(長軸が左右方向に延びる）長円形状をなして、便座３２の下面に突設されている。支持足３４は、便座３２の左右両側に前後一対ずつ設けられている。支持足３４は、便座３２の幅方向（左右方向）における中心線を挟んで対称に設けられている。
【００２１】
リム上面部１３の幅寸法（周方向に対して交差する内外方向の寸法）は、略全周にわたりほぼ一定とされ、各支持足３４の下面全体が載置されるだけの幅寸法を有している。
【００２２】
さて、便鉢部１１の上端縁部１２の大部分は、リム上面部１３の幅方向における中間部に連結されている。便鉢部１１の上端縁部１２は、リム上面部１３に対して略直角に連結されている。なお、以下では、リム上面部１３のうち後側の支持足３４と前側の支持足３４との間に位置する部分（リム上面部１３のうち便座３２の支持足３４が載置される部分）を中心部２１、前側の支持足３４よりも前方に位置する部分を前方部２２、後側の支持足３４よりも後方に位置する部分を後方部２３と称する。
【００２３】
リム上面部１３の大部分を占める中心部２１においては、図４に示すように、便鉢部１１の上端縁部１２が、リム上面部１３の幅方向の略中心に連結されている。そして、リム上面部１３は、便鉢部１１の外側と内側とに同等の寸法（リム上面部１３の全幅の略半分の寸法）だけ張り出している。なお、以下では、リム上面部１３のうち便鉢部１１の内側に張り出す部分を内張出部１３Ｕ、外側に張り出す部分を外張出部１３Ｓと称する。
【００２４】
リム上面部１３の前方部２２においては、リム上面部１３と便鉢部１１の上端縁部１２との連結位置が、前端に向かって外周縁側に変化している。これにより、リム上面部１３の内張出部１３Ｕの張り出し寸法は、前方に向かうにつれて少しずつ増し、外張出部１３Ｓの張り出し寸法は少しずつ減っている。
【００２５】
そして、便鉢部１１の前端部２４においては、便鉢部１１の上端縁部１２が、リム上面部１３の幅方向における外周縁部２５に連結されている。すなわち、リム上面部１３の全体が便鉢部１１の内側に張り出し、外張出部１３Ｓは無いものとされている。
【００２６】
リム上面部１３の後方部２３においては、第１吐水口１５と第２吐水口１６との間に位置する部分は、内張出部１３Ｕの張り出し寸法が略一定とされ、中心部２１における内張出部１３Ｕの張り出し寸法より若干小さくされている。また、リム上面部１３のうち第２吐水口１６よりも前側の部分は、リム上面部１３と便鉢部１１との連結位置が、リム上面部１３の内周縁に略平行に設けられ、その内張出部１３Ｕの張り出し寸法は、中心部２１における内張出部１３Ｕの張り出し寸法と同等とされている。
【００２７】
リム上面部１３の外張出部１３Ｓの下側には、図５に示すように、外張出部１３Ｓの下方の窪みを覆うようにカバー４０が装着されている。カバー４０は合成樹脂製であって、面ファスナー等の接着部材４１により、便器本体１０に任意に着脱可能とされている。
【００２８】
カバー４０は、外張出部１３Ｓの下方の段差を覆うカバー本体部４２と、接着部材４１を介してリム上面部１３に固定されるリム固定部４３と、接着部材４１を介して便鉢部１１に固定される便鉢固定部４４と、を備えている。カバー本体部４２は、リム上面部１３の外周縁部２５から便鉢部１１の外周面に至るまで緩やかに湾曲した形状をなしている。
【００２９】
リム固定部４３は、カバー本体部４２の上端部に対して略直角に屈曲された形状をなし、その上面が、リム上面部１３の外張出部１３Ｓの下面に接着固定される。また、便鉢固定部４４は、便鉢部１１の外周面に沿う形状をなし、その内周面が、便鉢部１１の外周面に接着固定される。
【００３０】
次に、上記のように構成された実施例の作用および効果について説明する。
本実施例における便器本体１０は、便座３２が載置されるリム上面部１３の幅方向における中間部に、便鉢部１１の上端縁部１２が連結されている。この構成によれば、リム上面部１３の幅寸法を十分に確保しつつ、リム上面部１３の便鉢部１１の上端縁部１２から内側への張り出し寸法を従来に比して小さくすることができるから、清掃作業は容易になり、製造時の垂れを防止でき、またリム上面部１３が受ける荷重に対して十分な強度を確保することができる。
【００３１】
また、便鉢部１１の前端部２４においては、便鉢部１１の上端縁部１２が、リム上面部１３の幅方向における外周縁部２５に連結されている。ここで、便鉢部１１の上端縁部１２のうち前端に位置する部分は、他の部分より曲がり形状が急であるため洗浄水が上側に膨れ上がりやすい部分であるとともに、人が座った際の荷重（便座３２からの荷重）が直接的に作用しない部分である。このような部分においては、便鉢部１１の上端縁部１２をリム上面部１３の外周縁部２５に連結することで、リム上面部１３の内側への張り出し寸法を大きくし、効果的に洗浄水の飛散を防止することができる。
【００３２】
また、リム上面部１３のうち便座３２の支持足３４が載置される中心部２１においては、便鉢部１１の上端縁部１２が、リム上面部１３の幅方向の中間部に連結され、リム上面部１３のうち中心部２１よりも前方の部分（前方部２２）においては、リム上面部１３と便鉢部１１の上端縁部１２との連結位置が、前方に向かって外周縁側に変化している。この構成によれば、リム上面部１３のうち便座３２の支持足３４が載置される中心部２１、すなわち直接的に荷重が作用する部分においては、リム上面部１３の中間部に便鉢部１１の上端縁部１２が連結されることでリム上面部１３の強度が確保され、それよりも前方の部分（前方部２２）においては、前方に向かってリム上面部１３の内側の張り出し寸法が増すことで、洗浄水の飛散防止機能が向上するものとされている。これにより、洗浄水の飛散防止と、便座３２からの荷重に対する補強とを両立することができる。
【００３３】
また、リム上面部１３の幅方向における外周縁部２５から便鉢部１１の外周面にわたりリム上面部１３の外張出部１３Ｓの下側の窪みを覆うようにカバー４０が装着されている。この構成によれば、外張出部１３Ｓの下側の窪みがカバー４０により隠蔽されるから、清掃作業を行いやすくなり、また見た目もよくすることができる。
【００３４】
＜実施例２＞
次に、本発明を具体化した実施例２に係る便器本体５０を図６によって説明する。
本実施例の便器本体５０は、便鉢部１１の上端縁部１２が、リム上面部１３の幅方向における中間部のうち内周縁寄りの位置に連結されている点で、実施例１とは相違する。なお、実施例１と同様の構成には同一符号を付して重複する説明を省略する。
【００３５】
本実施例に係る便器本体５０は、実施例１と同様に、便座３２が載置されるリム上面部１３の幅方向における中間部に、便鉢部１１の上端縁部１２が連結されたものである。また、実施例１と同様に、便鉢部１１の前端部２４においては、便鉢部１１の上端縁部１２は、リム上面部１３の幅方向における外周縁部２５に連結されている。
【００３６】
そして、リム上面部１３のうち便座３２の支持足３４が載置される中心部２１においては、便鉢部１１の上端縁部１２が、リム上面部１３の幅方向における中間部のうち内周縁寄りの位置（幅方向における中心位置よりも内周縁に近い位置）に連結されている。これにより、リム上面部１３の内張出部１３Ｕは外張出部１３Ｓよりも張り出し寸法が小さくされている。なお、リム上面部１３のうち支持足３４が載置される部分よりも前方の部分（前方部２２）においては、実施形態１と同様、リム上面部１３と便鉢部１１の上端縁部１２との連結位置が、前端に向かって外周縁側に変化している。
【００３７】
以上のように本実施例においては、便鉢部１１の上端縁部１２が、リム上面部１３の幅方向における中間部のうち内周縁寄りの位置に連結されているから、リム上面部１３の内側の張り出し寸法をより小さくすることができ、もって清掃作業をより行いやすくすることができる。
【００３８】
＜実施例３＞
次に、本発明を具体化した実施例３に係る便器本体６０を図７によって説明する。
本実施例の便器本体６０は、リム上面部６１が、便座３２が載置されるリム本体部６２と、リム本体部６２を支持するリム脚部６３とを有する点で、実施例１とは相違する。なお、実施例１と同様の構成には同一符号を付して重複する説明を省略する。
【００３９】
本実施例に係る便器本体６０は、実施例１と同様に、便座３２が載置されるリム上面部６１の幅方向における中間部に、便鉢部１１の上端縁部１２が連結されたものである。
【００４０】
リム上面部６１は、便座３２が載置されるリム本体部６２と、リム本体部６２を支持してリム本体部６２に作用する荷重を便鉢部１１に伝える一対のリム脚部６３とを有している。リム本体部６２は、便座３２の支持足３４の下面全体が載置されるだけの幅寸法を有し、一対のリム脚部６３は、その内周縁部と外周縁部とにそれぞれ連結されている。一対のリム脚部６３は、リム本体部６２の内外両周縁から下方に向かって幅方向の内側に傾く（互いに接近する）傾斜をなしている。一対のリム脚部６３の勾配は同等とされ、その下端部は、リム本体部６２の幅方向における略中心に位置して互いに連結されている。リム本体部６２および一対のリム脚部６３は断面三角形状をなしている。そして、便鉢部１１の上端縁部１２は、一対のリム脚部６３の下端部に連結されている。
【００４１】
以上のように本実施例においては、リム上面部６１の幅方向における中間部に、便鉢部１１の上端縁部１２が連結されているから、実施例１と同様、リム上面部６１の幅寸法を十分に確保しつつ、リム上面部６１の便鉢部１１の上端縁部１２からの張り出し寸法を従来に比して小さくすることができる。
【００４２】
＜他の実施例＞
本発明は上記記述及び図面によって説明した実施例に限定されるものではなく、例えば次のような実施例も本発明の技術的範囲に含まれる。
（１）上記実施例では、リム上面部１３の中心部２１においては、便鉢部１１の上端縁部１２が、リム上面部１３の幅方向における中心または内周縁寄りの位置に連結されているが、これに限らず、例えば、便鉢部の上端縁部が、リム上面部の幅方向における中間部のうち外周縁寄りの位置に連結されていてもよい。
（２）上記実施例では、便鉢部１１の前端部２４においては、便鉢部１１の上端縁部１２が、リム上面部１３の幅方向における外周縁部２５に連結されているが、これに限らず、例えば便鉢部の前端部においても、便鉢部の上端縁部が、リム上面部の幅方向における中間部に連結されるものとしてもよい。
（３）上記実施例では、リム上面部１３のうち支持足３４が載置される部分よりも前方の部分（前方部２２）においては、リム上面部１３と便鉢部１１の上端縁部１２との連結位置が、前方に向かって外周縁側に変化しているが、これに限らず、例えばリム上面部の前方部において便鉢部の上端縁部の連結位置が内外方向に変化しないものとしてもよい。
（４）上記実施例では、リム上面部１３の前方部２２、中心部２１および後方部２３においてリム上面部１３と便鉢部１１の上端縁部１２との連結形態が異なるものとされているが、必ずしもこのような部位の区切りによってリム上面部と便鉢部の上端縁部との連結形態を変えなくてもよい。
【符号の説明】
【００４３】
１０，５０，６０…便器本体
１１…便鉢部
１２…上端縁部
１３，６１…リム上面部
１３Ｓ…外張出部（リム上面部の外側の張り出し部分）
２１…中心部（便座の支持足が載置される部分）
２２…前方部（支持足が載置される部分よりも前方の部分）
２４…前端部
２５…外周縁部
３２…便座
３４…支持足
４０…カバー
【図１】
2015190223.tif 000003
【図２】
2015190223.tif 000004
【図３】
2015190223.tif 000005
【図４】
2015190223.tif 000006
【図５】
2015190223.tif 000007
【図６】
2015190223.tif 000008
【図７】
2015190223.tif 000009